(57)【要約】      （修正有）【課題】バヨネット着脱機構の小型化および部品点数の削減を図るとともに外観金属部品とのアースを取る。【解決手段】ワイドコンバーター、テレコンバーターなどの装置オプションアクセサリを装置本体に対して回転させる事で前記装置オプションアクセサリが装着される、バヨネット機構を有するマウントを備えた撮像装置において、バヨネット機構のロック部材１７に外観金属部品６との当接部１７ａを設けることにより外観金属部品６とのアースを取るとともに、従来のバヨネット機構のロック部材とアース部材を一体化し小型化および部品点数の削減を実現した。【選択図】図１
2009145580.tif 000002
【特許請求の範囲】
【請求項１】
装置オプションアクセサリを装置本体に対して回転させる事で、前記装置オプションアクセサリが装着されるマウントを具備し、前記装置オプションアクセサリの前記マウントからの抜けを阻止する位置と、前記装置オプションアクセサリの取り外しを可能とする位置との間で移動可能なロック部材と、このロック部材を前記突出位置の方向に付勢する付勢部材と、前記ロック部材に当接し、使用者の操作により前記ロック部材を前記付勢部材の付勢力に抗して前記退避位置へ移動させるロック解除部材とを有する撮像装置において、
外観金属部品がレンズ鏡筒周り及び、前記ロック部材の前記装置オプションアクセサリが前記マウントからの抜けを阻止する一端と前記ロック解除部材との間に配置されており、前記ロック部材が前記外観金属部品のアースを取る構造を有する事を特徴とする撮像装置。
【発明の詳細な説明】
【技術分野】
【０００１】
本発明は、装置オプションアクセサリを装置本体に対して回転させる事で、前記装置オプションアクセサリが装着されるマウントを有する撮像装置に関するものである。
【背景技術】
【０００２】
デジタルスチルカメラ（アナログカメラ）において、バヨネット機構を介してレンズ先端もしくは、本体側にレンズアダプターのオプションを装着し、ワイドコンバーター、テレコンバーターにより、広角撮影、望遠撮影を楽しむ事が知られている。近年、カメラの小型化、コストダウンによって、バヨネット機構を小型化、部品点数の削減が必要である。また、デジタルスチルカメラの高級感を出す為に、外装に金属を使用したデジタルスチルカメラがある。
【０００３】
バヨネット機構の技術として、例えば、特許文献１がある。該技術は、撮影レンズの前面にアダプター鏡筒を簡便にかつ的確に装着する事ができるマウント部を備えたカメラの提供し、アダプター鏡筒を装着しない時には、カメラの美観が損なわれないようにするものである。
【０００４】
また、特許文献２がある。該技術は、バヨネットマウントとマウントリングを備え、マウントリングを交換レンズ着脱位置まで回動した際にクリック感を生じさせることにより、マウントリングの回動位置を直感的に認識させて、迅速にレンズ交換を行うことを可能とするものである。
【特許文献１】特開２０００−３３０１７９号公報
【特許文献２】特開２０００−３５２７５３号公報
【発明の開示】
【発明が解決しようとする課題】
【０００５】
しかしながら、特開２０００−３３０１７９号公報は、撮影レンズ前面にアダプター鏡筒を簡便にかつ的確に装着する事ができるマウント部を備えたカメラを提供する事であり、また、アダプター鏡筒を装着しない時には、カメラの外観が損なわれないようにする事が、開示されているが、ロック部材で、鏡筒周りの外観金属部品のアース構造は、開示されていない。
【０００６】
また、特開２０００−３５２７５３号公報は、カメラ本体に対して交換レンズを着脱する際に、マウントリングの回動位置を直感的に認識する事ができ、迅速にレンズ交換を行う事が可能な交換レンズ取り付け装置を提供する事が開示されているが、上述のように、ロック部材で、鏡筒周りの外観金属部品のアース構造は、開示されていない。
【０００７】
また、従来の製品実施例を図を用いて、説明する。
【０００８】
図２は、カメラの外観斜視図であり、図３は、バヨネットキャップの裏面図であり、図４は、従来のカメラオプションアクセサリの着脱機構の裏面の分解斜視図であり、図５は、従来のカメラオプションアクセサリの着脱機構の表面の分解斜視図である。
【０００９】
従来の外観部品とのアース構造およびバヨネット着脱機構について説明する。
【００１０】
図２において、１はカメラ本体であり、この内部には、撮影を可能とする為の各種の部材が配置されている。
【００１１】
図３において、２はカメラ本体のマウントを覆うキャップ部材であり、この内周面にはマウントと係合する複数の爪部２ａを有している。
【００１２】
図２において、３は、カメラ本体のフロント側を構成するフロントカバーであり、４は、カメラ本体１のリア側を構成するリアカバーである。
【００１３】
フロントカバー３は、不図示の交換レンズやアダプタ装置等のカメラオプションアクセサリを装着する為のマウント３ａを有している。マウント３ａは、キャップ部材２の爪部２ａが進入可能なガイド溝３ｂを有し、このガイド溝３ｂは、爪部２ａと同じ位相になるように配置されている。また、ガイド溝部３ｂの一端には、マウント３ａの周方向に伸びる係合溝部３ｃが形成されている。
【００１４】
上記構成において、キャップ部材２の爪部２ａをフロントカバー３のガイド溝部３ｂに嵌め込み、キャップ部材２を光軸周り（図２の時計周り方向）に回動させて、爪部２ａおよび係合溝部３ｃを係合させることにより、キャップ部材２をカメラ本体１のマウント３ａに装着する事が出来る。不図示のカメラオプションアクセサリも、キャップ部材２と同様にしてカメラマウント３ａに装着する事が可能である。
【００１５】
フロントカバー３のマウント３ａの内側には、被写体光束が通過するレンズ鏡筒部５が形成されている。レンズ鏡筒部５を通過した被写体光束は、カメラ本体１内に配置された不図示の撮像媒体（フイルムまたはＣＣＤ等の撮像素子）で結像する。
【００１６】
また、レンズ鏡筒５に対してカメラ正面向かって上側には、被写体に向かって照明光を照射する為の閃光発光装置７が配置されている。また、レンズ鏡筒５に対してカメラ正面向かって左上側には、セルフタイマー等の合図を行う照明光を照射する為の照明光源のレンズ８が設けられている。
【００１７】
撮像媒体として撮像素子を用いた場合、カメラ本体１の背面に、液晶表示装置等の表示媒体を配置する事ができ、この表示媒体に撮像素子によって撮像された被写体像を表示させたり、撮像された画像を再生表示させたりすることができる。
【００１８】
９は、レンズ鏡筒部５の焦点距離を変更する為に操作されるズーム切換えレバーであり、不図示のシャッターボタンを取り囲むように配置され、シャッターボタンに対して回動可能となっている。
【００１９】
ズーム切換えレバー９を一方向に回動させると、レンズ鏡筒部５の焦点距離はワイド方向に切り替わり、他方に回動させると、レンズ鏡筒部５の焦点距離をテレ方向に切り替えが可能である。
【００２０】
不図示のシャッターボタンは、２段階の押圧操作が可能であり、シャッターボタンを半押し操作をすると、撮影準備動作（測光動作や測距動作等）が開始され、シャッターボタンを全押し操作すると、撮影動作（フイルムやＣＣＤ等の撮像素子への露光）が開始される。
【００２１】
撮像素子によって撮影された画像データは、液晶表示装置に撮影画像として表示されたり、各種メモリーカード等の記憶媒体に記録する事が可能である。
【００２２】
１０は、記録媒体を収納する記録媒体収納室の開口部を覆う蓋部材であり、カメラ本体１に回動可能に取り付けられている。蓋部材１０を図２に示す状態から回動させると、記録媒体収納室を開の状態とする事ができ、この状態において、記録媒体収納室に、記録媒体を出し入れする事ができる。１１は、電池を収納する電池収納室の開口部を覆う蓋部材であり、カメラ本体１に回動可能に取り付けられている。蓋部材１１を図２に示す状態から回動させると、電池収納室を開の状態とする事ができ、この状態において、電池収納室に、電池を出し入れする事ができる。６は、レンズ鏡筒５周りに配置されている外観金属部品である。
【００２３】
１２は、キャップ部材およびカメラオプションを着脱する際の着脱機構のロック解除ボタンであり、１３は、バヨネットキャップ部材をマウント部３ａから抜けるのを阻止するロック部材である。
【００２４】
図４、図５において、１４は、弾性部材であり、フロントカバー３から形成されている３ｄの軸周りに配置されている。バヨネットホルダー部材１５は、着脱機構をホールドする部材である。１６は、外観金属部品６のアース部品である。
【００２５】
弾性部材１４は、この一端がロック部材１３に当接し、他端がバヨネットホルダー部材１５に当接する事で、ロック部材１３に当接しているロック解除ボタン１２をフロンカバー３から突起させる方向にロック解除ボタン１２を付勢する。
【００２６】
ロック部材１３は略Ｌ字の形状であり、弾性部材１４からの付勢力を受けることで、図２に示すようにフロントカバー３のカメラマウント３ａから突出し、ロック部材の役割を果たす。また、ロック部材１３は、ロック解除ボタン１２と当接しており、ロック解除ボタン１２をフロントカバー３に対して押込み方向に操作すると、ロック部材１３も連動し押込み方向に動作する。逆に、ロック部材１３が弾性部材１４から付勢力を受け、ロック部材１３がフロントカバー３から突起する方向に動作した時は、ロック解除ボタン１２も連動し突起方向に動作する。
【００２７】
上述した着脱機構の構成において、使用者の操作によりロック解除ボタン１２がフロントカバー３に対して押込み方向に操作すると、ロック部材１３が弾性部材１４の付勢力に抗してフロントカバー３に対して押込み方向に移動し、カメラ本体内に収納され、バヨネットキャップ２が着脱可能となる。
【００２８】
１６は、フロントカバー３から形成されている孔３ｅから当接部１６ａが突出し、外観金属部品６に当接し、ホールド部材１５と共に、フロントカバー３にビスで締結される。ホールド部材１５は、不図示のグラウンドにつながっており、外観金属部品６は、アース部品１６、ホールド部品１５の部品の介して、グランド部に接触する構造となっている。外観金属部品６をフロントカバー３に被せるように組立後、アース部品６を上述したように組み立てる。
【００２９】
しかしながら、上記従来例では、アース部品１６は、外観金属部品６とはビスで締結されていないので、確実なアース構造ではない。また、外観金属部品６とアース部品１６が当接したアース構造であっても、時間の経過ともに、外観金属部品６のアース部品１６との当接部に酸化被膜が出来る事で、外観金属部品６とアース部品１６との間の導通が取れなくなり、確実なアース構造が実現できなくなる。
【００３０】
本発明では、上記問題点に着目して、成されたものであって、その目的とするところは、デジタルスチルカメラ等の撮像装置において、耐静電対策としてのバヨネットのアース構造を改善しつつ、バヨネット機構の小型化、部品点数の削減の構成を提供する事である。
【課題を解決するための手段】
【００３１】
上記目的を達成する為、本発明に係る発明は、装置オプションアクセサリを装置本体に対して回転させる事で、前記装置オプションアクセサリが装着されるマウントを有する撮像装置において、ロック部材と鏡筒周りに配置してある外観金属部品のアース部材を一体化し、前記一体部材と外観金属部品の当接部分を曲げ起こしの形状にした事を特徴としている。
【発明の効果】
【００３２】
以上説明したように、本発明によれば、ロック部材と鏡筒周りに配置してある外観金属部品のアース部材を一体化し、且つ、前記一体化部材と外観金属部品の当接部分の形状を曲げ起こしの形状にする事により、バヨネット機構の小型化、および、部品点数の削減、確実なアース構造が可能であり、低価格、小型のカメラの提供が可能となる。
【発明を実施するための最良の形態】
【００３３】
次に、本発明の詳細を実施例の記述に従って説明する。
【００３４】
以下、本発明の一実施例について図面を参照しながら説明する。
【実施例１】
【００３５】
本発明に係る外観金属部品とのアース構造を説明する。
【００３６】
従来構造と同じ部分は説明を省略する。
【００３７】
図１は、本発明に係る前記着脱機構の断面図であり、図６は、本発明に係るカメラオプションアクセサリの着脱機構の裏面の分解斜視図であり、図７は、本発明に係るカメラオプションアクセサリの着脱機構の表面の分解斜視図である。
【００３８】
図１、図６、図７において、１４は、弾性部材であり、フロントカバー３から形成されている３ｄの軸周りに配置されている。弾性部材１４は、この一端がロック部材１７に当接し、他端がバヨネットホルダー部材１５に当接する事で、ロック部材１７に当接しているロック解除ボタン１２をフロンカバー３から突出させる方向にロック解除ボタン１２を付勢する。
【００３９】
ロック部材１７は略Ｌ字の形状であり、弾性部材１４からの付勢力を受けることで、図２に示すようにフロントカバー３のカメラマウント３ａから一端が突出し、ロック部材の役割を果たす。また、ロック部材１７は、ロック解除ボタン１２と常時当接しており、ロック解除ボタン１２と一体的に動作する。また、ロック部材１７は、外観金属部品６との当接部１７ａを具備しており、フロントカバー３から形成されている孔３ｆから当接部１７ａが突出し、外観金属部品６に当接している。ホールド部材１５は、不図示のグラウンドにつながっており、外観金属部品６は、ロック部材１７の当接部１７ａ、弾性部材１４及びホールド部材１５の部品の介して、アースを取る構造となっている。
【００４０】
上述した着脱機構の構成において、使用者の操作によりロック解除ボタン１２がフロントカバー３に対して押込み方向に操作すると、ロック部材１７が弾性部材１４の付勢力に抗してフロントカバー３に対して押込み方向に移動し、カメラ本体内に収納され、バヨネットキャップ２が着脱可能となる。
【００４１】
以上、説明したように本実施の形態によれば、外観金属部品６のアース構造を従来のロック部材１３とアース部材１６を一体部材のロック部材１７にしたことにより、バヨネット着脱機構を小型化、および、部品点数の削減ができる。
【００４２】
なおかつ、ロック部材１７に外観金属部品６との当接部１７ａを設けた事により、操作者のバヨネットの押下動作と共に、ロック部材１７が動作する事で、当接部１７ａが外観金属部品６の酸化被膜を破ることができ、より確実なアース構造となる。
【００４３】
また、ロック部材１７の当接部１７ａは、本実施例の形状に限らず、鋭利な円錐形状等で、外観金属部品６に当接していても構わない。
【図面の簡単な説明】
【００４４】
【図１】本発明の実施例を示す着脱機構の断面図
【図２】従来及び本発明の実施例を示すデジタルスチルカメラの斜視図
【図３】従来及び本発明の実施例を示すバヨネットキャップの裏面図
【図４】従来の実施例を示すカメラオプションの着脱機構の裏面の分解斜視図
【図５】従来の実施例を示すカメラオプションの着脱機構の表面の分解斜視図
【図６】本発明の実施例を示すカメラオプションの着脱機構の裏面の分解斜視図
【図７】本発明の実施例を示すカメラオプションの着脱機構の表面の分解斜視図
【符号の説明】
【００４５】
１  デジタルスチルカメラ
２  カメラ本体のマウントを覆うキャップ部材
２ａ  マウントと係合する複数の爪部
３  カメラ本体のフロント側を構成するフロントカバー
３a  カメラ本体のマウント
３ｂ  キャップ部材２の爪部２ａが進入可能なガイド溝
３ｃ  マウント３ａの周方向に伸びる係合溝部
３ｄ  フロントカバー３に形成された軸
３ｅ  フロントカバー３に形成された穴部
３ｆ  フロントカバー３に形成された穴部
４  カメラ本体のリア側を構成するリアカバー
５  レンズ鏡筒部
６  外観金属部品
７  閃光発光装置
８  セルフタイマー等の合図を行う照明光
９  ズーム切換えレバー
１０  電池を収納する電池収納室の開口部を覆う蓋部材
１１  記録媒体を収納する記録媒体収納室の開口部を覆う蓋部材
１２  バヨネットロック解除ボタン
１３  従来のロック部材
１４  弾性部材
１５  バヨネット着脱機構ホルダー
１６  アース部材
１６ａ  アース部材と外観金属部材の当接部
１７  本発明のロック部材
１７ａ  ロック部材と外観金属部品の当接部
【図１】
2009145580.tif 000003
【図２】
2009145580.tif 000004
【図３】
2009145580.tif 000005
【図４】
2009145580.tif 000006
【図５】
2009145580.tif 000007
【図６】
2009145580.tif 000008
【図７】
2009145580.tif 000009